(57)【特許請求の範囲】
【請求項１】
受信されたテレビジョン信号に対してゴーストリダクション処理を施すゴーストリダクション処理部と、
このゴーストリダクション処理部に入力されるテレビジョン信号と、該ゴーストリダクション処理部から出力されたテレビジョン信号とを、画像表示のための信号処理を施す信号処理部に選択的に導くスイッチ部と、
このスイッチ部が前記ゴーストリダクション処理部に入力されるテレビジョン信号を前記信号処理部に導くように切り替えられている状態で、ゴーストリダクション処理が要求されると、前記スイッチ部を、前記ゴーストリダクション処理部から出力されるテレビジョン信号を前記信号処理部に導くように切り替える制御部と、
この制御部によって、ゴーストリダクション処理が要求されてから前記スイッチ部が切り替えられるまでの時間を、チャンネル毎に対応させて入力設定可能な記憶部とを具備し、
前記制御部は、ゴーストリダクション処理が要求されると、前記記憶部から受信チャンネルに対応した時間を読み取り、その時間が経過した状態で前記スイッチ部を切り替えるように制御してなることを特徴とするゴーストリダクション機能を備えたテレビジョン信号受信装置。
【請求項２】
前記信号処理部から出力される信号により画像表示を行なう表示手段を備えたことを特徴とする請求項１記載のゴーストリダクション機能を備えたテレビジョン信号受信装置。
【請求項３】
受信されたテレビジョン信号に含まれるゴースト除去用基準信号から演算を繰り返して係数を設定し、この設定された係数に基づいて前記テレビジョン信号にゴーストリダクション処理を施すとともに、前記係数が設定されない場合、前記テレビジョン信号をそのまま出力するゴーストリダクション処理部と、
このゴーストリダクション処理部における係数設定のための演算回数を、チャンネル毎に対応させて入力設定可能な記憶部と、
ゴーストリダクション処理が要求された状態で、前記記憶部から受信チャンネルに対応した演算回数を読み取り、その演算回数により前記ゴーストリダクション処理部における係数の設定を行なわせる制御部とを具備してなることを特徴とするゴーストリダクション機能を備えたテレビジョン信号受信装置。
【請求項４】
前記ゴーストリダクション処理部から出力されるテレビジョン信号により画像表示を行なう表示手段を備えたことを特徴とする請求項３記載のゴーストリダクション機能を備えたテレビジョン信号受信装置。
【発明の詳細な説明】
【０００１】
【発明の属する技術分野】
この発明は、ゴーストを低減させるためのゴーストリダクション機能を備えたテレビジョン信号受信装置の改良に関する。
【０００２】
【従来の技術】
周知のように、例えばテレビジョン受信機、ＶＴＲ（Video Tape Recorder）またはテレビジョンチューナ等のように、放送されたテレビジョン信号を受信して画像表示のための処理を施すテレビジョン信号受信装置にあっては、ゴーストによる受信障害を改善することが大きな課題となっており、従来より、種々のゴーストキャンセラが開発されている。
【０００３】
特に、ＥＤＴＶ（Extended Definition Television）放送やＩＤＴＶ（Improved Definition Television）放送等においては、テレビジョン信号の垂直帰線期間にゴーストキャンセル用の基準信号であるＧＣＲ信号を挿入して送信し、受信側に設けられたゴーストリダクション処理部が、受信されたＧＣＲ信号に基づいてゴーストリダクション処理を行なうようにしている。
【０００４】
ところで、このゴーストリダクション処理部には、そのゴースト除去のアルゴリズムとしてフィードバック制御形とフィードフォワード制御形との２種類があるが、いずれも、基本的には、受信されたＧＣＲ信号のひずみを検出し、その検出結果に基づいてゴースト除去フィルタのタップ係数を演算することにより、ゴースト成分を除去するようにしている。
【０００５】
このため、ゴーストリダクション処理が開始された直後では、ゴーストリダクション処理部における演算回数が不足していることから、十分なゴーストリダクション処理を行なうことができず、むしろ、ゴーストリダクション処理部が本来存在しない偽ゴーストを生成して、テレビジョン信号に付加してしまうような場合もある。
【０００６】
ただし、このような偽ゴーストは、時間の経過とともにゴーストリダクション処理部の演算回数が増えるのに伴なって、本来のゴーストとともに低減されるようになるが、電波状況やゴーストの発生状況によっては、ゴーストリダクション処理を行なう毎に偽ゴーストが付加されてしまう事態が多く発生し、画像が見苦しくなるという問題が生じる。
【０００７】
また、このゴーストリダクション処理部におけるゴーストの低減処理は、時間の経過とともに段階的に行なわれていくため、ゴーストの発生状況によっては、その低減処理中に画像の変化する様子が数回にわたって認識できることがあり、このような画像変化を視聴者によっては見苦しいと感じる場合があるという問題も生じている。
【０００８】
このため、近年では、上記のような偽ゴーストの発生や段階的なゴースト低減処理等による画像の見苦しさを防ぐために、ゴーストリダクション処理が開始されてから一定の時間が経過するまでは、ゴーストリダクション処理されていない通常の画像を表示させ、ゴーストリダクション処理された画像を表示させないようにすることが一般的に行なわれている。
【０００９】
ところが、ゴーストリダクション処理が開始されてから、ゴーストリダクション処理された画像を表示させるまでの待ち時間を、あまり長く設定すると、ゴースト低減後の画像が表示されるまでに時間がかかり過ぎるため、その間、視聴者は、ゴーストの付いた画像を必要以上に長い間見続けなければならないという問題が生じる。
【００１０】
また、近時では、ゴーストリダクション処理された画像を表示させるまでの待ち時間を、長／短の２種類に視聴者が選択設定できるようにしたテレビジョン信号受信装置も開発されているが、一方の待ち時間に設定すると、全てのチャンネルに対してその待ち時間になるので、チャンネル毎の電波状況やゴーストの発生状況に十分に対応できているとは言えないのが現状である。
【００１１】
さらに、現在では、例えば特開平８−２９８６０５号公報に示されるように、チャンネル切り替え時や電源投入時等において、ゴーストリダクション処理部のオン／オフ設定状態、ＧＣＲ信号の有無及びゴーストリダクション処理部の動作状態等を、オンスクリーン表示させるようにしたテレビジョン受信機も考えられている。
【００１２】
しかしながら、このようなテレビジョン受信機にあっても、視聴者が、ゴーストリダクション処理部の動作状況をオンスクリーン表示によって知ることができるだけであって、上述したように、偽ゴーストの発生や段階的なゴースト低減処理等による画像の見苦しさを、チャンネル毎の電波状況やゴーストの発生状況に十分に対応して改善しているものではない。
【００１３】
【発明が解決しようとする課題】
以上のように、ゴーストリダクション機能を備えた従来のテレビジョン信号受信装置では、ゴーストリダクション処理の開始後、一定の待ち時間が経過するまで、ゴーストリダクション処理された画像を表示させないようにした場合、その待ち時間をあまり長く設定すると、その間、視聴者は、ゴーストの付いた画像を必要以上に長い間見続けなければならないという問題を有している。
【００１４】
また、待ち時間を長／短の２種類に選択設定できるようにしたものや、ゴーストリダクション処理部の動作状況をオンスクリーン表示するようにしたものも開発されているが、いずれの場合も、まだまだ、チャンネル毎の電波状況やゴーストの発生状況等に十分に対応した対策が施されているとは言えないという問題を有している。
【００１５】
そこで、この発明は上記事情を考慮してなされたもので、ゴーストリダクション処理が開始されてからその画像を表示するまでの待ち時間を、チャンネル毎の電波状況やゴーストの発生状況等に十分に対応した最適な状態に設定することを可能とし得る極めて良好なゴーストリダクション機能を備えたテレビジョン信号受信装置を提供することを目的とする。
【００１６】
【課題を解決するための手段】
この発明に係るゴーストリダクション機能を備えたテレビジョン信号受信装置は、
受信されたテレビジョン信号に対してゴーストリダクション処理を施すゴーストリダクション処理部と、
このゴーストリダクション処理部に入力されるテレビジョン信号と、該ゴーストリダクション処理部から出力されたテレビジョン信号とを、画像表示のための信号処理を施す信号処理部に選択的に導くスイッチ部と、
このスイッチ部がゴーストリダクション処理部に入力されるテレビジョン信号を信号処理部に導くように切り替えられている状態で、ゴーストリダクション処理が要求されると、スイッチ部を、ゴーストリダクション処理部から出力されるテレビジョン信号を信号処理部に導くように切り替える制御部と、
この制御部によって、ゴーストリダクション処理が要求されてからスイッチ部が切り替えられるまでの時間を、チャンネル毎に対応させて入力設定可能な記憶部とを備え、
制御部は、ゴーストリダクション処理が要求されると、記憶部から受信チャンネルに対応した時間を読み取り、その時間が経過した状態でスイッチ部を切り替えるように制御している。
【００１７】
また、この発明に係るゴーストリダクション機能を備えたテレビジョン信号受信装置は、
受信されたテレビジョン信号に含まれるゴースト除去用基準信号から演算を繰り返して係数を設定し、この設定された係数に基づいてテレビジョン信号にゴーストリダクション処理を施すとともに、係数が設定されない場合、テレビジョン信号をそのまま出力するゴーストリダクション処理部と、
このゴーストリダクション処理部における係数設定のための演算回数を、チャンネル毎に対応させて入力設定可能な記憶部と、
ゴーストリダクション処理が要求された状態で、記憶部から受信チャンネルに対応した演算回数を読み取り、その演算回数によりゴーストリダクション処理部における係数の設定を行なわせる制御部とを備えるようにしたものである。
【００１８】
上記のような構成によれば、いずれも、ゴーストリダクション処理された画像が表示されるまでの待ち時間をチャンネル毎に設定することができるようにしたので、ゴーストリダクション処理が開始されてからその画像を表示するまでの待ち時間を、チャンネル毎の電波状況やゴーストの発生状況等に十分に対応した最適な状態に設定することが可能となる。
【００１９】
【発明の実施の形態】
以下、この発明の第１の実施の形態について図面を参照して詳細に説明する。図１において、アンテナ１１で受信されたテレビジョン放送電波は、選局部１２に供給されて所望のチャンネルのテレビジョン信号が選局される。この選局部１２で選局されたテレビジョン信号は、通常、図示と逆の切替状態にあるスイッチ部１３を介して、Ｙ（輝度信号）／Ｃ（色信号）分離部１４に供給される。
【００２０】
このＹ／Ｃ分離部１４は、入力されたテレビジョン信号を輝度信号Ｙと色信号Ｃとに分離し、信号処理部１５に出力している。この信号処理部１５は、入力された輝度信号Ｙ及び色信号Ｃを、後段のＣＰＴ（Color Picture Tube）部１６による画像表示可能な形態に変換してＣＰＴ部１６に出力し、ここに、テレビジョン信号が画像表示されるようになる。
【００２１】
また、上記選局部１２で選局されたテレビジョン信号は、ゴーストリダクション（以下ＧＲという）処理部１７に供給されてＧＲ処理が施される。そして、このＧＲ処理の施されたテレビジョン信号が、図示の切替状態にあるスイッチ部１３、Ｙ／Ｃ分離部１４及び信号処理部１５をそれぞれ介して、ＣＰＴ部１６による画像表示に供されるようにもなっている。
【００２２】
ここで、上記ＧＲ処理部１７のオン／オフ設定及びスイッチ部１３の切り替え制御は、制御部１８によって行なわれる。この制御部１８は、キー操作部１９による操作情報、または、リモートコントローラ２０から送出され受信部２１で受信された操作情報に基づいて、ＧＲ処理部１７のオン／オフ設定及びスイッチ部１３の切り替えを制御している。
【００２３】
この制御部１８には、モード情報記憶部２２とポジション情報記憶部２３とがそれぞれ接続されている。このうち、モード情報記憶部２２には、例えばモード１は切替時間が１秒で、モード２は切替時間が５秒というように、予めモードと切替時間とを対応付けて記憶させている。なお、ここでいう切替時間とは、先に述べた待ち時間に相当するものである。
【００２４】
また、上記ポジション情報記憶部２３には、ポジションとチャンネル情報とＧＲ処理に関する情報とを対応付けて記憶させている。このＧＲ処理に関する情報とは、上記した“モード１”及び“モード２”と、ＧＲ処理部１７をオフ状態に設定するための“オフ”とがある。
【００２５】
この各ポジション毎のチャンネル情報とＧＲ処理に関する情報とは、キー操作部１９またはリモートコントローラ２０の操作によって、視聴者が任意に入力設定することができる。
【００２６】
ここにおいて、制御部１８は、キー操作部１９またはリモートコントローラ２０から、チャンネルを“３０”に切り替える操作情報を受けると、まず、ポジション情報記憶部２３の記憶内容を見て、チャンネル“３０”に対応するＧＲ処理に関する情報が“モード２”であることを認識するとともに、モード情報記憶部２２の記憶内容を見て、モード２の切替時間が５秒であることを認識する。
【００２７】
その後、制御部１８は、スイッチ部１３を図示と逆の切替状態に制御し、選局部１２から出力されたテレビジョン信号をそのままＹ／Ｃ分離部１４に導くようにすると同時に、ＧＲ処理部１７をオン状態に設定しＧＲ処理を開始させる。
【００２８】
そして、モード２に対応する５秒が経過すると、制御部１８は、スイッチ部１３を図示の切替状態に制御して、ＧＲ処理されたテレビジョン信号をＹ／Ｃ分離部１４に導くように制御し、以後、ＧＲ処理されたテレビジョン信号が表示されることになる。
【００２９】
また、制御部１８は、キー操作部１９またはリモートコントローラ２０から、チャンネルを“２”に切り替える操作情報を受けると、ポジション情報記憶部２３の記憶内容を見て、チャンネル“２”に対応するＧＲ処理に関する情報が“オフ”であることを認識する。
【００３０】
この場合、制御部１８は、スイッチ部１３を図示と逆の切替状態に制御し、選局部１２から出力されたテレビジョン信号をそのままＹ／Ｃ分離部１４に導くようにすると同時に、ＧＲ処理部１７をオフ状態に設定しＧＲ処理が行なわれないように制御する。
【００３１】
上記した第１の実施の形態によれば、ＧＲ処理されたテレビジョン信号を画像表示に供させるように切り替えるまでの時間を、チャンネル毎に視聴者が設定できるようにして、ＧＲ処理された画像が表示されるまでの待ち時間をチャンネル毎に設定することができるようにしたので、ＧＲ処理が開始されてからその画像を表示するまでの待ち時間を、チャンネル毎の電波状況やゴーストの発生状況等に十分に対応した最適な状態に設定することが可能となる。
【００３２】
次に、図２は、この発明の第２の実施の形態を示している。図２において、図１と同一部分に同一符号を付して説明すると、上記ＧＲ処理部１７は、選局部１２から出力されたアナログのテレビジョン信号をデジタル化するＡ／Ｄ（Analog／Digital）変換部１７ａと、このＡ／Ｄ変換部１７ａから出力されたデジタルテレビジョン信号に対してゴースト低減処理を施すデジタルフィルタ部１７ｂと、このデジタルフィルタ部１７ｂから出力されたデジタルテレビジョン信号をアナログ化してＹ／Ｃ分離部１４に出力するＤ／Ａ（Digital／Analog）変換部１７ｃと、制御部１８の制御に基づいて、デジタルフィルタ部１７ｂに設定する係数を、選局部１２から出力されたテレビジョン信号の垂直帰線期間に重畳されたＧＣＲ信号から解析・演算する演算部１７ｄとから構成されている。
【００３３】
また、上記モード情報記憶部２２には、例えばモード１は初回ＧＣＲ解析回数が１回で、モード２は初回ＧＣＲ解析回数が４回というように、モードと、ＧＲ処理が開始されてからデジタルフィルタ部１７ｂに係数を初回設定するまでに、演算部１７ｄが解析・演算処理を行なう回数とを対応付けて記憶させている。
【００３４】
このような構成において、制御部１８は、キー操作部１９またはリモートコントローラ２０から、チャンネルを“３０”に切り替える操作情報を受けると、まず、ポジション情報記憶部２３の記憶内容を見て、チャンネル“３０”に対応するＧＲ処理に関する情報が“モード２”であることを認識するとともに、モード情報記憶部２２の記憶内容を見て、モード２の初回ＧＣＲ解析回数が４回であることを認識する。
【００３５】
このため、制御部１８は、演算部１７ｄに対して初回ＧＣＲ解析回数を“４”に設定する。すると、演算部１７ｄは、ＧＣＲ信号の解析・演算処理を４回繰り返して係数を設定し、デジタルフィルタ部１７ｂに供給する。
【００３６】
この場合、デジタルフィルタ部１７ｂは、演算部１７ｄで設定された係数が供給されるまでは、入力されたテレビジョン信号を非のまま、つまり、何も処理を行なわない信号を出力しているが、係数が供給された後は、ゴースト低減された信号を出力している。
【００３７】
なお、演算部１７ｄは、その後もＧＣＲ信号の解析・演算処理を繰り返して、デジタルフィルタ部１７ｂに与える係数を更新し、係数を最適化するように動作する。
【００３８】
また、制御部１８は、キー操作部１９またはリモートコントローラ２０から、チャンネルを“２”に切り替える操作情報を受けると、ポジション情報記憶部２３の記憶内容を見て、チャンネル“２”に対応するＧＲ処理に関する情報が“オフ”であることを認識する。
【００３９】
この場合、制御部１８は、演算部１７ｄに係数の演算を行なわせないように制御する。このため、デジタルフィルタ部１７ｂは、演算部１７ｄで係数が設定されないので、入力されたテレビジョン信号をそのまま出力する状態、つまり、オフ状態に設定され、ゴースト低減処理が行なわれないように制御される。
【００４０】
上記した第２の実施の形態によれば、ＧＲ処理部１７のフィルタ係数を初回設定するまでの解析・演算処理回数を、チャンネル毎に視聴者が設定できるようにして、ＧＲ処理された画像が表示されるまでの待ち時間をチャンネル毎に設定することができるようにしたので、第１の実施の形態と同様に、ＧＲ処理が開始されてからその画像を表示するまでの待ち時間を、チャンネル毎の電波状況やゴーストの発生状況等に十分に対応した最適な状態に設定することが可能となる。
【００４１】
ここで、上記した第１及び第２の実施の形態では、いずれも、チャンネルを切替える操作情報に基づいて、その切り替えられたチャンネルのテレビジョン信号に対してＧＲ処理が開始される場合について説明したが、ＧＲ処理は、チャンネルの切り替え時だけに限らず、同じチャンネルであってもＧＲ処理が要求されたとき、例えばＧＲ処理をオン／オフ制御する操作子がオフからオンに切り替えられたときに開始され、そのときに、上述したようにチャンネル毎に設定された待ち時間が伴なわれればよいものである。
【００４２】
なお、この発明は上記した各実施の形態に限定されるものではなく、この外その要旨を逸脱しない範囲で種々変形して実施することができる。
【００４３】
【発明の効果】
以上詳述したようにこの発明によれば、ゴーストリダクション処理が開始されてからその画像を表示するまでの待ち時間を、チャンネル毎の電波状況やゴーストの発生状況等に十分に対応した最適な状態に設定することを可能とし得る極めて良好なゴーストリダクション機能を備えたテレビジョン信号受信装置を提供することができる。
【図面の簡単な説明】
【図１】この発明に係るゴーストリダクション機能を備えたテレビジョン信号受信装置の第１の実施の形態を説明するために示すブロック構成図。
【図２】この発明に係るゴーストリダクション機能を備えたテレビジョン信号受信装置の第２の実施の形態を説明するために示すブロック構成図。
【符号の説明】
１１…アンテナ、
１２…選局部、
１３…スイッチ部、
１４…Ｙ／Ｃ分離部、
１５…信号処理部、
１６…ＣＰＴ部、
１７…ＧＲ処理部、
１８…制御部、
１９…キー操作部、
２０…リモートコントローラ、
２１…受信部、
２２…モード情報記憶部、
２３…ポジション情報記憶部。
【図１】
0004005755.tif 000002
【図２】
0004005755.tif 000003